(57)【要約】【課題】設備設計担当者等が設計した各構成部材に設けられる貫通孔に関する情報を、ＢＩＭモデルの対応する構成部材に対して効率的に紐付けることを可能にする、設計ユーザ端末、設計支援システム及び設計支援方法を提供すること。【解決手段】建築物のＢＩＭモデルを設計する、設計ユーザ端末１０であって、ネットワーク３０を介して、ＢＩＭモデルの備える各構成部材の有する貫通孔の形状情報及び位置情報を少なくとも含む中間ファイル６０を受信する通信部１２０と、ＢＩＭモデルを設計する設計部１２２と、構成部材の端部結合条件を格納する格納部１３２と、構成部材が端部結合条件を満たしているか否かを判定する端部結合条件判定部１２４と、端部結合条件判定部１２４における判定結果を表示する表示部１３０とを有する。【選択図】図３
2022003490.tif 000002
【特許請求の範囲】
【請求項１】
建築物のＢＩＭモデルを設計する、設計ユーザ端末であって、
ネットワークを介して、前記ＢＩＭモデルの備える各構成部材の有する貫通孔の形状情報及び位置情報を少なくとも含む中間ファイルを受信する、通信部と、
前記ＢＩＭモデルを設計する設計部と、
前記構成部材の端部結合条件を格納する格納部と、
前記構成部材が前記端部結合条件を満たしているか否かを判定する、端部結合条件判定部と、
前記端部結合条件判定部における判定結果を表示する表示部と、を有することを特徴とする、設計ユーザ端末。
【請求項２】
貫通孔合否判定部をさらに有し、
前記貫通孔の設計条件がさらに前記格納部に格納されており、
前記貫通孔合否判定部では、前記構成部材が前記端部結合条件を満たしている場合に、該構成部材に設けられている前記貫通孔が前記設計条件を満たしているか否かを判定し、
前記貫通孔合否判定部における判定結果を前記表示部にて表示することを特徴とする、請求項１に記載の設計ユーザ端末。
【請求項３】
前記中間ファイルには、各貫通孔に取り付けられる補強板の形状情報及び位置情報がさらに含まれており、
補強板合否判定部をさらに有し、
前記補強板の設計条件がさらに前記格納部に格納されており、
前記補強板合否判定部では、前記補強板が前記設計条件を満たしているか否かを判定し、
前記補強板合否判定部における判定結果を前記表示部にて表示することを特徴とする、請求項１又は２に記載の設計ユーザ端末。
【請求項４】
前記構成部材が梁であり、該梁には、大梁、小梁、及び片持ち梁が含まれており、
前記大梁、前記小梁、及び前記片持ち梁の前記端部結合条件がそれぞれ前記格納部に格納されていることを特徴とする、請求項１乃至３のいずれか一項に記載の設計ユーザ端末。
【請求項５】
前記表示部では、前記構成部材の有する形状情報及び位置情報と、各構成部材の備える前記貫通孔の有する形状情報及び位置情報と、前記貫通孔及び前記補強板の合否判定結果がテキスト表示されるようになっており、
前記貫通孔及び前記補強板の合否判定結果を示す部分において、合否に応じた色分け表示が実行されることを特徴とする、請求項３、又は請求項３に従属する請求項４に記載の設計ユーザ端末。
【請求項６】
前記表示部に表示される前記ＢＩＭモデルにおいて、前記貫通孔が、前記貫通孔合否判定部による判定結果、及び／又は前記補強板合否判定部よる判定結果に応じて色分け表示されることを特徴とする、請求項３、請求項３に従属する請求項４又は５のいずれか一項に記載の設計ユーザ端末。
【請求項７】
請求項１乃至６のいずれか一項に記載の設計ユーザ端末と、
前記ネットワークを介して、前記設計ユーザ端末にて設計された前記ＢＩＭモデルと作成された前記中間ファイルを受信し、二以上の該設計ユーザ端末が前記ＢＩＭモデル及び前記中間ファイルを共有可能に格納する共有サーバと、を有することを特徴とする、設計支援システム。
【請求項８】
建築物のＢＩＭモデルを設計する、設計支援方法であって、
ネットワークを介して、前記ＢＩＭモデルの備える各構成部材の有する貫通孔の形状情報及び位置情報を少なくとも含む中間ファイルを受信する、受信工程と、
ＢＩＭモデルを設計する設計工程と、
前記構成部材に対して設定されている端部結合条件を該構成部材が満たしているか否かを判定する、端部結合条件判定工程と、
前記端部結合条件判定工程における判定結果を表示する表示工程と、を有することを特徴とする、設計支援方法。
【請求項９】
貫通孔合否判定工程をさらに有し、
前記貫通孔合否判定工程では、前記構成部材が前記端部結合条件を満たしている場合に、該構成部材に設けられている前記貫通孔に対して設定されている設計条件を該貫通孔が満たしているか否かを判定することを特徴とする、請求項８に記載の設計支援方法。
【請求項１０】
前記中間ファイルには、各貫通孔に取り付けられる補強板の形状情報及び位置情報がさらに含まれており、
補強板合否判定工程をさらに有し、
前記補強板合否判定工程では、前記補強板に対して設定されている設計条件を該補強板が満たしているか否かを判定することを特徴とする、請求項８又は９に記載の設計支援方法。
【発明の詳細な説明】
【技術分野】
【０００１】
本発明は、設計ユーザ端末、設計支援システム及び設計支援方法に関する。
【背景技術】
【０００２】
建築設計においては、敷地の条件や周辺環境を勘案しながら建築物の配置を決定し、内外観や間取り構成、装飾等を設計する意匠設計がまず行われる。この意匠設計では、一般に普及しているＣＡＤ（Computer-aided design）を用いることにより、二次元図面は勿論のこと、パースを含む三次元図面が作成される。この意匠設計により設計された建築物に対して、積雪や地震等に対する安全性能を満たすように、土台や骨組みを設定し、柱や構成部材、壁等の仕様や形状、配置を設定する構造設計が意匠設計に次いで行われる。また、この構造設計と並行して、もしくは構造設計の後で、快適な室内環境のための空調設備、上下水道に通じる衛生設備、コンセントや照明を配置する電気設備等を設定する設備設計が行われる。これらの意匠設計、構造設計、及び設備設計は、各設計担当者が相互に情報共有しながら、複数回に亘って設計変更がなされた後、建築物の設計が完了する。
【０００３】
ところで、上記する建築物の設計において、ＢＩＭ（Building Information Modeling）モデルを用いて、デザイナーや設計者、施工監理者、工事施行業者などの間で建築物に関する情報を共有化することが行われている。ここで、ＢＩＭモデルとは、建築物を構成する構成要素（オブジェクトとも言い、梁や柱、壁等を含む）に関する、仮想の三次元空間における形状に関する情報（形状情報）や、材質や寸法に関する情報、配設位置に関する情報（位置情報）等に関する各種情報（これらをまとめて、「仕様情報」とする）を有する三次元モデルである。このＢＩＭモデルを用いて、三次元モデルを様々な角度から見た三次元図面が作成できる他、三次元図面を様々に切断したり、様々な角度から見た平面図（伏図を含む）や立面図（軸組図を含む）といった二次元図面を作成できる。すなわち、三次元モデルを構成する各構成要素は、種々の仕様情報を内包しており、この仕様情報は、変更や修正、追加が可能となり、変更や追加等の履歴も残すことができる。
【０００４】
ところで、ＢＩＭモデルを構成する各種の構成部材（梁、床等）には、空調設備や電気設備、防災設備等、様々な設備用の貫通孔（スリーブ）が設けられており、例えば一本の梁において、複数の貫通孔が相互に間隔を置いて配設されている。このような貫通孔は、例えば設備設計担当者や設備業者担当者等の有する設計ユーザ端末にて設計が行われ、各貫通孔に関する情報（各構成部材における、一つもしくは複数の貫通孔の形状情報や位置情報等）は、設備設計担当者や設備業者担当者等の有する設計ユーザ端末に格納される。設備設計担当者等はさらに、各貫通孔に対して、設置可能な形状及び寸法を備えた補強板を設定する設計を合わせて行っている。
【０００５】
上記する貫通孔や補強板に関する情報をＢＩＭモデルに取り込むに当たり、従来は、上記する各貫通孔等に関する情報が盛り込まれた設備図面に基づき、例えば構造設計担当者が自身の設計ユーザ端末に各貫通孔等に関する情報を手入力することにより、各構成部材（オブジェクト）において、設計されている貫通孔や補強板の情報を紐付けていた。そのため、貫通孔や補強板に関する情報がオブジェクトに紐付けられたＢＩＭモデルの作成には、多大な手間と時間を要していた。
【０００６】
ここで、鉄骨梁のウエブに貫通孔を設ける場合に、鉄骨梁の貫通孔の形成部周辺を補強する補強内容を示す鉄骨貫通孔の補強設計支援装置が提案されている。より具体的には、鉄骨梁の断面寸法情報、梁長さ、貫通孔の孔径、及び梁端から貫通孔中心までの距離を少なくとも含む条件データを入力し、又は所定のデータ登録手段から取り込む条件入力手段と、この条件入力手段で得た条件データから、上記補強の有無判定および補強が必要な場合の補強量の演算を行う補強判定演算手段と、この補強判定演算手段で演算された結果を表示する演算結果表示手段とを備えている。そして、補強判定演算手段は、所定の数式にて示されるせん断耐力Ｑhが、式中の作用せん断力を上回る場合に補強不要と判定し、補強必要と判定した場合には、さらに別途の所定式を充足する補強量の補強内容を演算するものとしている（例えば、特許文献１参照）。
【先行技術文献】
【特許文献】
【０００７】
【特許文献１】特許第４２４６５８８号公報
【発明の概要】
【発明が解決しようとする課題】
【０００８】
特許文献１に記載の補強設計支援装置によれば、梁端から貫通孔中心までの距離を条件に含み、所定の数式に従って、梁に作用する曲げモーメント、せん断力、および梁の曲げ耐力、せん断耐力を演算して補強の必要の有無および補強量を示すことにより、画一的な補強による過剰補強を回避し、補強の不要を明確に示すとともに、過剰とならない必要補強量を示すことを可能にする。しかしながら、この補強設計支援装置では、上記する課題、すなわち、設備設計担当者等が設計した各構成部材に設けられる貫通孔や補強板に関する情報を、ＢＩＭモデルの対応する構成部材に対して効率的に紐付けることは難しい。
【０００９】
本発明は上記する課題に鑑みてなされたものであり、設備設計担当者等が設計した各構成部材に設けられる貫通孔に関する情報を、ＢＩＭモデルの対応する構成部材に対して効率的に紐付けることを可能にする、設計ユーザ端末、設計支援システム及び設計支援方法を提供することを目的としている。
【課題を解決するための手段】
【００１０】
前記目的を達成すべく、本発明による設計ユーザ端末の一態様は、
建築物のＢＩＭモデルを設計する、設計ユーザ端末であって、
ネットワークを介して、前記ＢＩＭモデルの備える各構成部材の有する貫通孔の形状情報及び位置情報を少なくとも含む中間ファイルを受信する、通信部と、
前記ＢＩＭモデルを設計する設計部と、
前記構成部材の端部結合条件を格納する格納部と、
前記構成部材が前記端部結合条件を満たしているか否かを判定する、端部結合条件判定部と、
前記端部結合条件判定部における判定結果を表示する表示部と、を有することを特徴とする。
【００１１】
本態様によれば、各構成部材（梁や床等）の有する貫通孔の形状情報及び位置情報を少なくとも含む中間ファイルを通信部にて受信することにより、受信した貫通孔に関する各種情報（形状情報や位置情報等）をＢＩＭモデルの備える各構成部材（オブジェクト）に対して効率的に紐付けることができる。さらに、ＢＩＭモデルの備える構成部材が予め設定されている端部結合条件を満たしているか否かを判定し、判定結果を表示部に表示することにより、端部結合条件を満たしていない構成部材の端部結合条件が好適に修正されたＢＩＭモデルを設計することができる。ここで、中間ファイルは、設備設計担当者等が設計ユーザ端末にて作成した、構成部材ごとの有する貫通孔の形状情報や位置情報等に関するテキストファイルである。例えば、設備設計担当者等は、設計ユーザ端末において３Ｄ−ＣＡＤにて設備設計を行い、その際のデータがＢＩＭソフトウェアにて読み込み可能にテキストファイルに変換される。一例として、設計ユーザ端末の設計部において、ＢＩＭソフトウェアとしてＡｕｔｏｄｅｓｋ Ｒｅｖｉｔ（登録商標）（Ａｕｔｏｄｅｓｋ社製）が適用される場合に、中間ファイルがＣＳＶ（Comma Separated Value）形式のテキストファイルやＴＸＴ（Text）形式のテキストファイルとして通信部にて受信される。
【００１２】
ここで、設計ユーザ端末には、意匠設計担当者の有するユーザ端末、構造設計担当者の有するユーザ端末、設備設計担当者の有するユーザ端末等、様々な設計ユーザ端末が含まれ、いずれもパーソナルコンピュータにより形成される。設計ユーザ端末は格納部を有し、格納部には市販の構造計算用ソフトウェアがダウンロード等によりインストールされており、構造設計部において構造計算用ソフトウェアが読み出され、意匠設計された建築物を構造計算用ソフトウェア内においてモデル化する。このモデル化においては、各構成部材の材質（剛性）、寸法、配設位置等の仕様情報が入力される。そして、構造計算用ソフトウェアにより、パーソナルコンピュータ内において構造計算が実行され、構造計算データが例えば格納部に格納される。設計ユーザ端末には、例えば変換用ソフトウェアが同様にインストールされており、この変換用ソフトウェアにより、構造計算用ソフトウェア内にてモデル化されている計算モデル（非ＢＩＭ計算モデル）からＢＩＭ計算モデルが作成される。ＢＩＭ計算モデルは、構造計算に不要な部材（屋外階段等）を有していないことから、設計部では、構造設計担当者等がＢＩＭ計算モデルに対して様々な構成部材を追加したり、既にある構成部材の仕様を設計変更等することにより、ＢＩＭモデルが設計される。
【００１３】
従来のＢＩＭモデルの設計においては、構成部材のモデル化の際に、当該構成部材が予め設定されている端部結合条件（端部結合タイプ）を満たしていない場合でも、モデル化を行うことが可能となっている。例えば、この構成部材の一例として梁を取り上げ説明する。梁の端部結合条件としては、「固定」、「ピン」等があるが、例えば、梁が大梁の場合には、構造上はその両端の結合条件はいずれも「固定」であることを一般に要し、両端にある柱に対してそれぞれ「固定」の結合条件を満たしていない場合には、対象のＢＩＭモデルを構成する大梁が所定の構造条件を満たさないこととなり好ましくない。しかしながら、上記するように、従来のＢＩＭモデルの設計においては、梁の端部結合条件の設定が例えば梁種に応じて自動的にデフォルト処理されるようになっていないことから、ＢＩＭモデルを設計した後に、各梁の端部結合条件の適否を梁ごとに精査することが必要となり、この精査にも多大な時間と手間を要していた。これに対し、本態様によれば、ＢＩＭモデルを構成する各梁が端部結合条件を満たしているか否かが端部結合条件判定部にて自動判定され、判定結果が表示部に表示されることにより、端部結合条件を満たしていない梁等の構成部材を短時間に特定し、端部結合条件の修正を速やかに行うことが可能になる。
【００１４】
また、本発明による設計ユーザ端末の他の態様は、貫通孔合否判定部をさらに有し、
前記貫通孔の設計条件がさらに前記格納部に格納されており、
前記貫通孔合否判定部では、前記構成部材が前記端部結合条件を満たしている場合に、該構成部材に設けられている前記貫通孔が前記設計条件を満たしているか否かを判定し、
前記貫通孔合否判定部における判定結果を前記表示部にて表示することを特徴とする。
【００１５】
本態様によれば、端部結合条件を満たしている構成部材の備える貫通孔が、当該貫通孔の設計条件を満たしているか否かを貫通孔合否判定部にて判定し、判定結果を表示部にて表示することにより、適切な端部結合条件を有する構成部材に対して、適切な位置に適切な寸法形状の貫通孔が設けられているか否かを速やかに確認することができる。ここで、「貫通孔の設計条件」とは、例えば構成部材がＨ形鋼により形成される梁であって、この梁を構成するウエブに貫通孔が設けられる場合に、ウエブの端部から貫通孔までの最小離間等に関する条件を意味する。そして、設計条件を満たしていない貫通孔に対しては、貫通孔の寸法や形状を修正する、もしくは貫通孔の位置を修正する等の措置を講じることにより、適切な貫通孔を速やかに設定することが可能になる。
【００１６】
また、本発明による設計ユーザ端末の他の態様において、前記中間ファイルには、各貫通孔に取り付けられる補強板の形状情報及び位置情報がさらに含まれており、
補強板合否判定部をさらに有し、
前記補強板の設計条件がさらに前記格納部に格納されており、
前記補強板合否判定部では、前記補強板が前記設計条件を満たしているか否かを判定し、
前記補強板合否判定部における判定結果を前記表示部にて表示することを特徴とする。
【００１７】
本態様によれば、貫通孔合否判定部において貫通孔が予め設定されている設計条件を満たすか否かを判定することに加えて、さらに、補強板合否判定部において補強板が予め設定されている設計条件を満たすか否かを判定することにより、適切な補強板が設けられているか否かを速やかに確認することができる。ここで、「補強板の設計条件」とは、貫通孔の端部と補強板の端部との間の最小端あきや、貫通孔の中心と補強板の端部までの最小距離等に関する条件を意味する。そして、設計条件を満たしていない補強板に対しては、補強板の寸法や形状を修正する、もしくは補強板の設置位置を修正する等の措置を講じることにより、適切な補強板を速やかに設定することが可能になる。
【００１８】
また、本発明による設計ユーザ端末の他の態様において、前記構成部材が梁であり、該梁には、大梁、小梁、及び片持ち梁が含まれており、
前記大梁、前記小梁、及び前記片持ち梁の前記端部結合条件がそれぞれ前記格納部に格納されていることを特徴とする。
【００１９】
本態様によれば、建築物の構成部材として適用される梁に関し、大梁、小梁、及び片持ち梁ごとに固有の端部結合条件が設定されていることにより、複数種の梁を有するＢＩＭモデルにおける各梁が梁種に応じた端部結合条件を満たすか否かを端部結合条件判定部にて速やかに判定することができる。例えば、既述するように、大梁の両端の端部結合条件は両端ともに「固定」を原則とし、小梁の両端の端部結合条件は一端が「固定」、他端が「ピン」を原則とすることができる。尚、より詳細には、端部結合条件には、完全に修正を要する「エラー条件」と、修正を必須とせず、設計担当者に確認を促す「警告条件」等が含まれていてもよい。例えば、大梁であっても、必ずしも両端を「固定」にせず、一端のみ「固定」とし、「他端」を「ピン」として設計する場合もあり得る。一方で、大梁において、両端が「ピン」となる構造はあり得ない。そこで、大梁においては、両端が「ピン」となっている場合に「エラー条件」と表示し、一端が「固定」で「他端」が「ピン」となっている場合に「警告条件」と表示することにより、このように一種の構成部材が様々な端部結合条件を有する場合であっても、設計担当者に迅速に端部結合条件の修正要否を提示することが可能になる。
【００２０】
また、本発明による設計ユーザ端末の他の態様において、前記表示部では、前記構成部材の有する形状情報及び位置情報と、各構成部材の備える前記貫通孔の有する形状情報及び位置情報と、前記貫通孔及び前記補強板の合否判定結果がテキスト表示されるようになっており、
前記貫通孔及び前記補強板の合否判定結果を示す部分において、合否に応じた色分け表示が実行されることを特徴とする。
【００２１】
本態様によれば、表示部において、例えばエクセル（Ｅｘｃｅｌ、登録商標）形式等でテキスト表示される合否判定結果を示す部分（例えばセル）において、合否に応じた色分け表示がなされることにより、設計担当者は設計条件を満たさない貫通孔や補強板をより一層速やかに特定することができる。例えば、設計条件を満たすセルにおいては、着色無し、もしくは青く着色され、設計条件を満たさないセルにおいては、赤く着色されること等により、設計条件を満たさないセルの特定がより一層容易になる。
【００２２】
また、本発明による設計ユーザ端末の他の態様は、前記表示部に表示される前記ＢＩＭモデルにおいて、前記貫通孔が、前記貫通孔合否判定部による判定結果、及び／又は前記補強板合否判定部よる判定結果に応じて色分け表示されることを特徴とする。
【００２３】
本態様によれば、表示部にて例えば三次元表示されているＢＩＭモデルにおいて、貫通孔合否判定部や補強板合否判定部による判定結果に応じて色分けされた貫通孔（モデル）が表示されることにより、ＢＩＭモデル上において、各構成部材（オブジェクト）の有する貫通孔やそこに設置されている補強板が設計条件を満たしているか否かを三次元的に視認することができる。
【００２４】
また、本発明による設計支援システムの一態様は、
前記設計ユーザ端末と、
前記ネットワークを介して、前記設計ユーザ端末にて設計された前記ＢＩＭモデルと作成された前記中間ファイルを受信し、二以上の該設計ユーザ端末が前記ＢＩＭモデル及び前記中間ファイルを共有可能に格納する共有サーバと、を有することを特徴とする。
【００２５】
本態様によれば、設計ユーザ端末が中間ファイルを速やかに受信することができ、各設計ユーザ端末にて作成されたＢＩＭモデルを共有し、設計条件を満たしていない貫通孔に関する情報を速やかに構造設計担当者等から設備設計担当者等に提供することができる。ここで、構造設計担当者は、例えば自身の設計ユーザ端末にて、設計条件を満たしていない貫通孔を速やかに特定することができるが、ここでは、特定された設計条件を満たしていない貫通孔（及び補強板）を自身の設計ユーザ端末にて修正せず、共有サーバに送信し、貫通孔等を修正するべき設備設計担当者が共有サーバから設計条件を満たしていない貫通孔（及び補強板）に関する情報を受信し、自身の設計ユーザ端末にて修正するのが望ましい。設備設計担当者にて修正された貫通孔（及び補強板）を備えた構成部材を有するＢＩＭモデルもしくは中間ファイルが共有サーバに再度送信され、構造設計担当者がこの中間ファイル等を再度受信し、全ての貫通孔（及び補強板）が設計条件を満足するＢＩＭモデルを自身の設計ユーザ端末にて作成することができる。
【００２６】
また、本発明による設計支援方法の一態様は、
建築物のＢＩＭモデルを設計する、設計支援方法であって、
ネットワークを介して、前記ＢＩＭモデルの備える各構成部材の有する貫通孔の形状情報及び位置情報を少なくとも含む中間ファイルを受信する、受信工程と、
ＢＩＭモデルを設計する設計工程と、
前記構成部材に対して設定されている端部結合条件を該構成部材が満たしているか否かを判定する、端部結合条件判定工程と、
前記端部結合条件判定工程における判定結果を表示する表示工程と、を有することを特徴とする。
【００２７】
本態様によれば、各構成部材の有する貫通孔の形状情報及び位置情報を少なくとも含む中間ファイルを受信工程にて受信することにより、受信した貫通孔に関する各種情報をＢＩＭモデルの備える各構成部材（オブジェクト）に対して効率的に紐付けることができる。さらに、ＢＩＭモデルの備える構成部材がその種類に応じて予め設定されている端部結合条件を満たしているか否かを端部結合条件判定工程にて判定し、判定結果を表示工程にて表示することにより、端部結合条件を満たしていない構成部材の端部結合条件が好適に修正されたＢＩＭモデルを設計することができる。
【００２８】
また、本発明による設計支援方法の他の態様は、貫通孔合否判定工程をさらに有し、
前記貫通孔合否判定工程では、前記構成部材が前記端部結合条件を満たしている場合に、該構成部材に設けられている前記貫通孔に対して設定されている設計条件を該貫通孔が満たしているか否かを判定することを特徴とする。
【００２９】
本態様によれば、端部結合条件を満たしている構成部材の備える貫通孔が、当該貫通孔の設計条件を満たしているか否かを貫通孔判定工程にて判定することにより、適切な端部結合条件を有する構成部材に対して、適切な位置に適切な寸法形状の貫通孔が設けられていることを速やかに確認することができる。
【００３０】
また、本発明による設計支援方法の他の態様において、前記中間ファイルには、各貫通孔に取り付けられる補強板の形状情報及び位置情報がさらに含まれており、
補強板合否判定工程をさらに有し、
前記補強板合否判定工程では、前記補強板に対して設定されている設計条件を該補強板が満たしているか否かを判定することを特徴とする。
【００３１】
本態様によれば、貫通孔判定工程において貫通孔が予め設定されている設計条件を満たすか否かを判定することに加えて、さらに、補強板合否判定工程において補強板が予め設定されている設計条件を満たすか否かを判定することにより、適切な補強板が設けられているか否かを速やかに確認することができる。
【発明の効果】
【００３２】
以上の説明から理解できるように、本発明による設計ユーザ端末、設計支援システム及び設計支援方法によれば、設備設計担当者等が設計した各構成部材に設けられる貫通孔に関する情報を、ＢＩＭモデルの対応する構成部材に対して効率的に紐付けることができる。
【図面の簡単な説明】
【００３３】
【図１】実施形態に係る設計支援システムの全体構成の一例を示す図である。
【図２】コンピュータのハードウェア構成の一例を示す図である。
【図３】実施形態に係る設計ユーザ端末の機能構成の一例を示す図である。
【図４】中間ファイルの一例を示す図である。
【図５】実施形態に係る設計ユーザ端末の表示部に表示された、アドインツールの一例を示す図である。
【図６Ａ】梁断面図において円形貫通孔を示すモデル図である。
【図６Ｂ】床平面図と床断面図において角形貫通孔を示すモデル図である。
【図７】構成部材の端部結合条件の確認画面を示す図である。
【図８】大梁、小梁、及び片持ち梁のエラー条件と警告条件の一例を示す図である。
【図９】表示部における出力画面の一例を示す概要図である。
【図１０】表示部における出力画面に含まれる、設計条件の一例を示す図である。
【図１１Ａ】表示部における出力画面に含まれる、梁情報、貫通孔情報、及び補強板情報を示すエクセルデータの一例を示す図である。
【図１１Ｂ】表示部における出力画面に含まれる、貫通孔合否判定結果と補強板合否判定結果の一例を示す図である。
【図１２Ａ】表示部における出力画面に含まれる、設計図面を示す図である。
【図１２Ｂ】合否判定において設計条件を満たさない場合の設計図面を示す図である。
【図１３】表示部における出力画面に表示される拡大図を示す図である。
【図１４】表示部におけるＢＩＭモデル上で、正常判定の貫通孔とエラー判定の貫通孔を示す図である。
【図１５】ＢＩＭモデルを形成する梁ファミリを、大梁と小梁と片持ち梁に分類している状態を示す図である。
【図１６】実施形態に係る設計支援方法の一例を示すフロー図である。
【図１７】実施形態に係る設計支援方法のうち、貫通孔合否判定工程と補強板合否判定工程の一例を詳細に示すフロー図である。
【発明を実施するための形態】
【００３４】
以下、実施形態に係る設計ユーザ端末、設計支援システム及び設計支援方法の一例について、添付の図面を参照しながら説明する。尚、本明細書及び図面において、実質的に同一の構成要素については、同一の符号を付することにより重複した説明を省く場合がある。
【００３５】
［実施形態に係る設計支援システム］
はじめに、図１を参照して、実施形態に係る設計支援システムの一例について説明する。ここで、図１は、実施形態に係る設計支援システムの全体構成の一例を示す図である。
【００３６】
設計支援システム５０は、設計ユーザ端末１０と共有サーバ２０とがネットワーク３０を介して接続されることにより形成される。設計ユーザ端末１０は、意匠設計ユーザ端末１０Ａ、構造設計ユーザ端末１０Ｂ、設備設計ユーザ端末１０Ｃ等を有し、さらに、積算ユーザ端末、施工計画ユーザ端末、実施工ユーザ端末（いずれも図示せず）等、様々なユーザ端末を含み得る。
【００３７】
ネットワーク３０には、インターネット等の公衆ネットワーク、携帯電話網等の無線ネットワーク、ＶＰＮ（Virtual Private Network）等の専用ネットワーク、ＬＡＮ（Local Area Network）等が含まれる。
【００３８】
ここで、設計支援システム５０は、一つのハウスメーカー等の会社内部のみで情報共有がなされるクローズドネットワークを有する形態の他、外部機関との間においても情報共有が可能なオープンネットワークを有する形態である。例えば、設備設計ユーザ端末１０Ｃは、一つのハウスメーカー等の会社内部における設備設計担当者の有するユーザ端末の他、ハウスメーカーとは異なる設備業者の担当者等の有する設計ユーザ端末であってもよい。
【００３９】
共有サーバ２０へのアクセスにはアクセス権限を要し、アクセス権限が付与されているユーザ端末のみが共有サーバ２０にアクセスでき、共有サーバ２０に格納されている各種データを共有することができる。例えば、以下で説明するＢＩＭモデルが各設計段階の都度共有サーバ２０に格納され、アクセス権限が付与されている設計ユーザ端末や外部機関は共有サーバ２０にアクセスして、共有サーバ２０に格納されているＢＩＭモデルを自身の端末に取り込んだり、自身の端末にて作成されたＢＩＭモデルを共有サーバ２０にアップすることができる。
【００４０】
ここで、共有サーバ２０は、データ保管の他にも、各種のアプリケーションソフトウェアを複数のユーザが共有できるクラウドサーバであってもよい。例えば、設計ユーザ端末１０と外部機関端末（図示せず）が共通のアプリケーションソフトウェアを使用して、ＢＩＭデータの送受信を行ったり、異なる時期に送受信される複数のＢＩＭデータに関して、任意の二つの時期のＢＩＭデータを相互に比較することを可能にしてもよい。尚、「外部機関端末」には、確認申請機関端末の他、設備設計や施工計画等の段階で協同して作業を行う資機材供給メーカー等の有する資機材供給メーカー端末等を含み得る。
【００４１】
意匠設計ユーザ端末１０Ａ、構造設計ユーザ端末１０Ｂ、及び設備設計ユーザ端末１０Ｃはそれぞれ、意匠設計担当者、構造設計担当者、及び設備設計担当者が使用する端末であり、パーソナルコンピュータやタブレット等により形成される。
【００４２】
ＢＩＭモデルには、建築物の企画段階等で意匠設計担当者が意匠設計ユーザ端末１０Ａにおいて設計するＢＩＭ意匠モデル、構造設計担当者が構造設計ユーザ端末１０Ｂにおいて設計するＢＩＭ構造モデル等が含まれる。企画段階では、三次元モデリングされた建築物の画像データ（ＢＩＭ意匠モデル）を見ることにより、当該建築物の外観やレイアウトデザイン等について直接イメージすることができる。また、設備設計段階においては、建築物の内部における熱流（風・気流等の流れ）のシミュレーションを行なったり、照明の配置と光環境との関係について検討することにより、居住空間の快適性を考慮した設計を行うことができる。さらに、構造設計段階や施工計画段階においては、三次元画像を確認することにより、設備機器や鉄骨、配管等の干渉チェックを行うことができ、二次元図面では見え難い状態を細部に亘り明りょうに把握することができる。
【００４３】
特に、図示例の設計支援システム５０では、設備設計ユーザ端末１０Ｃにより、ＢＩＭモデルを構成する梁や床等の構成部材において貫通孔が設計され、各構成部材が設計された貫通孔に関するデータを備えている中間ファイルが共有サーバ２０に送信される。一方、構造設計ユーザ端末１０Ｂは、その内部においてＢＩＭモデルを作成するとともに、共有サーバ２０から上記中間ファイルを受信し、ＢＩＭモデルを形成する構成部材（オブジェクト）と、中間ファイル内にあって当該オブジェクトに対応する構成部材をリンクさせ、中間ファイル内に含まれる貫通孔に関する情報をＢＩＭモデルのオブジェクトに紐付ける。
【００４４】
［実施形態に係る設計ユーザ端末］
次に、図２乃至図１５を参照して、実施形態に係る設計ユーザ端末の一例について説明する。ここで、図２は、コンピュータのハードウェア構成の一例を示す図であり、図３は、実施形態に係る設計ユーザ端末の機能構成の一例を示す図である。
【００４５】
図２に示すように、設計ユーザ端末１０は、パーソナルコンピュータ（ＰＣ：Personal Computer）やワークステーション（ＷＳ：Work Station）等の情報処理装置からなり、共有サーバ２０もサーバからなる情報処理装置であり、いずれも図２に示すコンピュータにより構成される。
【００４６】
設計ユーザ端末１０等のコンピュータは、接続バス１１２により相互に接続されているＣＰＵ（Central Processing Unit）１０２、主記憶装置１０４、補助記憶装置１０６、通信ＩＦ（interface）１０８、及び入出力ＩＦ１１０を備えている。主記憶装置１０４と補助記憶装置１０６は、コンピュータが読み取り可能な記録媒体である。尚、上記の構成要素はそれぞれ個別に設けられてもよいし、一部の構成要素を設けないようにしてもよい。
【００４７】
ＣＰＵ１０２は、ＭＰＵ（Microprocessor）やプロセッサとも呼ばれ、ＣＰＵ１０２は、単一のプロセッサであってもよいし、マルチプロセッサであってもよい。ＣＰＵ１０２は、コンピュータからなる設計ユーザ端末１０等の全体の制御を行う中央演算処理装置である。ＣＰＵ１０２は、例えば、補助記憶装置１０６に記憶されたプログラムを主記憶装置１０４の作業領域にて実行可能に展開し、プログラムの実行を通じて周辺機器の制御を行うことにより、所定の目的に合致した機能を提供する。
【００４８】
主記憶装置１０４は、ＣＰＵ１０２が実行するコンピュータプログラムや、ＣＰＵ１０２が処理するデータ等を記憶する。主記憶装置１０４は、例えば、フラッシュメモリ、ＲＡＭ（Random Access Memory）やＲＯＭ（Read Only Memory）を含む。補助記憶装置１０６は、各種のプログラム及び各種のデータを読み書き自在に記録媒体に格納し、外部記憶装置とも呼ばれる。補助記憶装置１０６には、例えば、ＯＳ（Operating System）、各種プログラム、各種テーブル等が格納される。ＯＳは、例えば、通信ＩＦ１０８を介して接続される外部装置等とのデータの受け渡しを行う通信インターフェースプログラムを含む。外部装置等には、例えば、ネットワークに接続するパーソナルコンピュータ（ＰＣ）、ワークステーション（ＷＳ）、サーバ、携帯端末等の情報処理装置や外部記憶装置等が含まれる。
【００４９】
補助記憶装置１０６は、例えば、主記憶装置１０４を補助する記憶領域として使用され、ＣＰＵ１０２が実行するコンピュータプログラムや、ＣＰＵ１０２が処理するデータ等を記憶する。補助記憶装置１０６は、不揮発性半導体メモリ（フラッシュメモリ、ＥＰＲＯＭ（Erasable Programmable ROM））を含むシリコンディスク、ハードディスクドライブ（ＨＤＤ：Hard Disk Drive）装置、ソリッドステートドライブ装置等である。また、補助記憶装置１０６として、ＣＤドライブ装置、ＤＶＤドライブ装置、ＢＤドライブ装置といった着脱可能な記録媒体の駆動装置が例示される。着脱可能な記録媒体として、ＣＤ、ＤＶＤ、ＢＤ、ＵＳＢ（Universal Serial Bus）メモリ、ＳＤ（Secure Digital）メモリカード等が例示される。
【００５０】
通信ＩＦ１０８は、設計ユーザ端末１０等が接続するネットワーク３０とのインターフェイスである。通信ＩＦ１０８は、ネットワーク３０を介して、共有サーバ２０と設計ユーザ端末１０の間で中間ファイルの送受信を実行する。また、通信ＩＦ１０８は、ネットワーク３０を介して、設計ユーザ端末１０にて設計されたＢＩＭモデルを共有サーバ２０に格納し、共有サーバ２０に格納されているＢＩＭモデルを受信する。
【００５１】
入出力ＩＦ１１０は、設計ユーザ端末１０等に接続する機器との間でデータの入出力を行うインターフェイスである。入出力ＩＦ１１０には、例えば、キーボード、タッチパネルやマウス等のポインティングデバイス、マイクロフォン等の入力デバイス等が接続する。設計ユーザ端末１０等は、入出力ＩＦ１１０を介し、入力デバイスを操作する操作者からの操作指示等を受け付ける。
【００５２】
また、入出力ＩＦ１１０には、例えば、液晶パネル（ＬＣＤ：Liquid Crystal Display）や有機ＥＬパネル（ＥＬ：Electroluminescence）等の表示デバイス、プリンタ、スピーカ等の出力デバイスが接続する。設計ユーザ端末１０等は、入出力ＩＦ１１０を介し、ＣＰＵ１０２により処理されるデータや情報、主記憶装置１０４、補助記憶装置１０６に記憶されるデータや情報を出力する。
【００５３】
図３に示すように、設計ユーザ端末１０（例えば、構造設計ユーザ端末１０Ｂ）は、ＣＰＵ１０２によるプログラムの実行により、少なくとも、通信部１２０、設計部１２２、端部結合条件判定部１２４、貫通孔合否判定部１２６，補強板合否判定部１２８，表示部１３０，及び格納部１３２の各種機能を提供する。尚、上記処理機能の少なくとも一部が、ＤＳＰ（Digital Signal Processor）、ＧＰＵ（Graphics Processing Unit）等によって提供されてもよく、同様に、上記処理機能の少なくとも一部が、ＦＰＧＡ（Field-Programmable Gate Array）、数値演算プロセッサ、画像処理プロセッサ等の専用ＬＳＩ（large scale integration）やその他のデジタル回路等であってもよい。
【００５４】
以下、設計ユーザ端末１０として構造設計ユーザ端末１０Ｂを取り上げて説明する。通信部１２０は、設備設計ユーザ端末１０Ｃにて作成され、共有サーバ２０にて格納されている中間ファイルを受信し、格納部１３２に格納する。また、通信部１２０は、設計ユーザ端末１０にて作成されたＢＩＭモデルを共有サーバ２０に送信し、共有サーバ２０に格納されているＢＩＭモデルを受信する（アクセス権限を有する様々な設計ユーザ端末１０がＢＩＭモデルを作成して共有サーバ２０にアップし、アップされたＢＩＭモデルを共有できる）。
【００５５】
次に、図４を参照して、中間ファイルの一例について説明する。中間ファイル６０は、例えば設備設計担当者が、ＢＩＭモデルを構成する梁や床等の構成部材において貫通孔を設計し、各構成部材が、設計された貫通孔に関するデータを備えているファイルである。
【００５６】
図４に一例として示す中間ファイル６０は、例えばＣＳＶ形式やＴＸＴ形式のファイルとして共有サーバ２０に送信され、格納される。中間ファイル６０には、上段から、３次元座標原点６１，階名６２，構成部材６３，円形貫通孔６４等がテキストデータとして入力されている。ここで、３次元座標原点６１の（Ｘ０，Ｙ０，Ｚ０）は、中間ファイル６０に入力されている各種座標の基準となる座標であり、ＢＩＭモデルにおいて設定されている３次元座標原点と３次元座標原点６１とが位置合わせされることにより、中間ファイル６０に入力されている構成部材や構成部材中の貫通孔等をＢＩＭモデル上に重ね合わせることができる。尚、中間ファイル６０におけるファイル内容には様々な項目や順番があってよく、図示例はあくまでも一例に過ぎない。例えば、円形貫通孔に代わり、角形貫通孔が設定されてもよい。また、貫通孔に対応する補強板に関する情報がさらに入力されていてもよい。
【００５７】
図４に示す例では、中間ファイル６０において、１階（１Ｆ）におけるＸｉ通り（もしくはＹｉ通り）に沿って配設される構成部材である梁が設定されている。そして、梁には、円形貫通孔が設定されており、この円形貫通孔は、孔径φ、孔開始点と孔終点の各３次元座標（Ｘ１，Ｙ１，Ｚ１）、（Ｘ２，Ｙ２，Ｚ２）が設定されている。
【００５８】
図３に戻り、格納部１３２には、ＲＣ／ＳＲＣ／Ｓ造建物の高機能一貫構造計算ソフトウェアである、ＢＵＳ−６（株式会社構造システム社製）等がインストールされている。ここで、ＲＣ造は鉄筋コンクリート造を示し、ＳＲＣ造は鉄骨鉄筋コンクリート造を示し、Ｓ造は鉄骨造を示す。設計部１２２により高機能一貫構造計算ソフトウェアが読み出され、意匠設計担当者が設計しているＢＩＭ意匠モデルに基づいて、計算ソフトウェア内において計算モデルを作成し、計算モデルを構成する各種の構成要素の仕様情報を入力し、構造計算を実行する。このように計算ソフトウェア内において作成された計算モデルはＢＩＭモデルでないことから、非ＢＩＭ計算モデルとなる。
【００５９】
格納部１３２には、構造計算ソフトウェアとＢＩＭソフトウェアを繋ぐ、ＳＴ−Ｂｒｉｄｇｅ（一般社団法人ｂｕｉｌｄｉｎｇ ＳＭＡＲＴ Ｊａｐａｎ社製）と、ＢＩＭソフトウェアとして、Ａｕｔｏｄｅｓｋ Ｒｅｖｉｔ（登録商標）（Ａｕｔｏｄｅｓｋ社製）がインストールされており、設計部１２２にてこれらのソフトウェアを起動することにより、非ＢＩＭ計算モデルをＢＩＭ計算モデルに変換する。
【００６０】
構造設計担当者（以下、ユーザである設計担当者の一例として、構造設計担当者を取り上げて説明する）は、構造計算により所定の構造安全性をクリアしたＢＩＭ計算モデルに対して、構造計算には不要であった様々な構成要素をＢＩＭ計算モデルに付加することにより、ＢＩＭ構造モデルを設計する。ＢＩＭモデル（ＢＩＭ構造モデル）は、設計対象の建築物における、構造計算上必要となる構成部材や柱等の構造部材に加えて、階段、壁、天井、床、ドア、窓、各種配管といった非構造部材を含んでいる。
【００６１】
ここで、図５に示すように、構造設計ユーザ端末１０Ｂの表示部１３０には、複数種のアドインツールが表示される。構造設計担当者は、併設する各種のアドインツールを順に操作することにより、中間ファイルの読み込みから梁ファミリマッピングまでの一連の処理を実行することができる。
【００６２】
構造設計担当者が、アドインツールにおける「中間ファイル読み込み」を押下することにより、共有サーバ２０内に格納されている複数のＣＳＶ形式の中間ファイル選択画面（図示せず）が表示される。構造設計担当者が設計対象のＢＩＭモデル用の中間ファイルを選択することにより、構造設計ユーザ端末１０Ｂの通信部１２０において選択された中間ファイルが受信され、格納部１３２に格納される。尚、選択した中間ファイルは、設備設計担当者に編集権限が付与されており、従って、構造設計担当者による構造設計ユーザ端末１０Ｂ内での編集は不可となっているのが望ましい。
【００６３】
選択された中間ファイルには、図４において一例を示す通り、各階に設定されている複数種の梁等の構成部材に関する全てのデータが入力されており、各構成部材において設定されている貫通孔に関する各種情報（孔種、孔の寸法、孔の位置等）も含まれており、その他、貫通孔に対応する補強板に関する各種情報（補強板の寸法、補強板の設置位置等）も含まれてよい。
【００６４】
ここで、図６は、中間ファイルにおいて設定されている貫通孔の情報を模式的に示す図であり、より具体的には、図６Ａは、梁断面図において円形貫通孔を示すモデル図であり、図６Ｂは、床平面図と床断面図において角形貫通孔を示すモデル図である。
【００６５】
図６Ａに示す梁モデルはＨ形鋼により形成される梁モデルであり、Ｈ形鋼のウエブの高さ中心位置に直径φの円形貫通孔が設けられている。図示例では、貫通孔の始点と終点の座標を、ウエブの高さ中心位置であって、かつ上下のフランジの左右端で示すものとしている。
【００６６】
一方、図６Ｂに示す床モデルは、縦幅ＹＬ，横幅ＸＬの平面視矩形（直方体状）の貫通孔が設けられるモデルである。図示例では、貫通孔の始点と終点の座標を、平面視矩形の中心（二本の対角線の交点）であって、かつ床の上下位置で示すものとしている。
【００６７】
上記各種の貫通孔に関する情報が、中間ファイルにおける各構成部材の関連シートに入力されている。尚、貫通孔の座標設定形態等は、図示例の入力例以外の形態であってもよい。
【００６８】
上記するように、読み込まれた中間ファイル６０（図４参照）に含まれる各構成部材の３次元座標原点６１とＢＩＭモデル上の３次元座標原点とが位置合わせされることにより、中間ファイルに入力されている構成部材や構成部材中の貫通孔等がＢＩＭモデル上に重ね合わされる。尚、この段階では、ＢＩＭモデルの各オブジェクトに対して、中間ファイルにおいて対応する構成部材は紐付いておらず、あくまでも、ＢＩＭモデルに中間ファイルの入力情報が重ね合わされているに過ぎないが、この段階で、ＢＩＭモデルの各オブジェクトに対して、中間ファイルに入力されている対応する構成部材中の貫通孔等の各種情報が紐付けられてもよい。
【００６９】
図５に戻り、アドインツールにおける「結合確認」を押下することにより、端部結合条件判定部１２４（図３参照）が起動され、ＢＩＭモデルを構成する各オブジェクト（構成部材）が、設定されている端部結合条件を満たしているか否かが判定される。
【００７０】
ここでは、図７及び図８を参照して、構成部材が梁である場合の端部結合条件の判定例について説明する。ここで、図７は、構成部材の端部結合条件の確認画面を示す図であり、図８は、大梁、小梁、及び片持ち梁のエラー条件と警告条件の一例を示す図である。
【００７１】
図７に示すように、表示部１３０では、エクセル（Ｅｘｃｅｌ）形式にて、ＢＩＭモデルを構成する各梁の端部結合条件の判定結果がテキスト表示され、複数の梁タイプごとに始端結合タイプと終端結合タイプが設定されている。この結合タイプは、構造設計担当者等がＢＩＭモデルを作成する際に、暫定的に設定した結合タイプであり、梁種に応じて設定されている結合条件を必ずしも忠実に反映したものではない。図７では、端部結合条件の判定結果も示されており、結合条件を満たして正常である場合には「ν」が表示され、完全に修正を要する「エラー」の場合には「×」が表示され、修正を必須とせず、構造設計担当者に確認を促す「警告」の場合には「！」が表示されるようになっている。
【００７２】
そして、例えば、「エラー」の場合には「×」のセルを赤色表示等で示し、「警告」の場合には「！」セルを黄色表示等で示すことにより、構造設計担当者に対して、「エラー」や「警告」の対象である梁を特定し易くしている。図７においては、最上段の梁（梁タイプが２Ｇ５８８Ｍ）が「大梁」であり、この梁の始端結合タイプが「ピン」であり、終端結合タイプが「固定」であることから、当該梁を「警告」対象としている。尚、端部結合条件には、「固定」や「ピン」以外の結合条件が設定されてもよい。
【００７３】
ここで、図８の条件設定例において示すように、梁には、大梁、小梁、及び片持ち梁が含まれ、各梁種に応じてエラー条件と警告条件が設定されている。図示例の各種梁の端部結合条件は格納部１３２に格納されており、構造設計担当者は、まず、端部結合条件判定部１２４を起動してＢＩＭモデルを構成する梁等の構成部材の端部結合条件の適否を判定し、ＢＩＭモデルにおいて端部結合条件の修正を要する構成部材を検出し、必要に応じて端部結合条件の修正を行う。
【００７４】
また、図示を省略するが、エラー等の対象である梁を選択して対応するセルをクリックした際に、ＢＩＭモデルが表示され、梁の一端が側方の柱に結合されていない等が図示されるとともに、「結合対象の部材（柱等）が不明である」といったエラー内容が表示されてもよい。このエラー内容に基づき、構造設計担当者は梁の一端を柱等に結合するモデル修正を行い、再度の結合確認を行うことにより、エラー対象の梁が正常の梁に評価されたことを確認できる。尚、梁以外の構成部材であって、貫通孔が設けられる床等においても、端部結合条件が設定されており、ＢＩＭモデルを構成する各床が端部結合条件を満たすか否かが端部結合条件判定部１２４にて同様に判定され、エラー等の判定がなされた床に対しては適正な修正が行われることは梁と同様である。
【００７５】
図３に戻り、ＢＩＭモデルを構成する各オブジェクトの端部結合条件が必要に応じて適正に修正された後、構造設計ユーザ端末１０Ｂでは、貫通孔合否判定部１２６と補強板合否判定部１２８が順次もしくは同時に起動する。
【００７６】
貫通孔合否判定部１２６は、合否判定対象の貫通孔を備える構成部材が端部結合条件を満たしていることを前提として、構成部材に設けられている一つもしくは複数の貫通孔が、予め設定されている貫通孔の設計条件を満たしているか否かを判定する。図示する設計ユーザ端末１０では、端部結合条件を満たしていない構成部材が存在する場合でも、この構成部材に対しては貫通孔合否判定部１２６による判定が実行されず、端部結合条件を満たしている構成部材に対してのみ貫通孔合否判定部１２６による判定が実行されるようになっている。そのため、端部結合条件を満たしていない構成部材に対しては、適宜その修正を行うことにより、貫通孔合否判定部１２６による合否判定が可能になる。
【００７７】
ここで、「貫通孔の設計条件」とは、例えば構成部材がＨ形鋼により形成される梁であって、この梁を構成するウエブに貫通孔が設けられる場合に、ウエブの端部から貫通孔までの最小離間等に関する条件等のことであり、図１０には、表示部における出力画面に含まれる、設計条件の一例を示している。図１０に示す詳細ルールの左上欄には、梁面から貫通孔上下端までの距離に関する設計条件や、貫通孔を設けてはいけない領域に関する設計条件等を記載されており、中央下欄には、貫通孔心間隔に関する設計条件が記載されている。そして、これら種々の貫通孔の設計条件が格納部１３２に格納されており、貫通孔合否判定部１２６では、中間ファイルから読み込まれた各貫通孔が各種の設計条件を満たすか否かに関する判定が実行される。
【００７８】
一方、補強板合否判定部１２８は、貫通孔を補強する補強板が、予め設定されている補強板の設計条件を満たしているか否かを判定する。
【００７９】
ここで、「補強板の設計条件」とは、貫通孔の端部と補強板の端部との間の最小端あきや、貫通孔の中心と補強板の端部までの最小距離等に関する条件等のことであり、図１０のその一例を示している。
【００８０】
例えば、図１０の詳細ルールの左下欄や中央上欄には、補強板鉛直方向端あき寸法や補強板水平方向端あき寸法に関する設計条件等が記載されており、中央下欄には、隣接する補強板同士のクリアランスに関する設計条件等が記載されている。
【００８１】
図５に戻り、アドインツールにおける「Ｅｘｃｅｌ出力」を押下することにより、構成部材に関する各種情報、各構成部材に設けられる貫通孔と補強板に関する各種情報、貫通孔合否判定部１２６による合否判定結果、及び補強板合否判定部１２８による合否判定結果が表示部１３０に表示される。
【００８２】
次に、図９乃至図１３を参照して、表示部１３０における表示例を説明する。ここで、図９は、表示部における出力画面の一例を示す概要図であり、図１０は、表示部における出力画面に含まれる、設計条件の一例を示す図である。また、図１１Ａは、表示部における出力画面に含まれる、梁情報、貫通孔情報、及び補強板情報を示すエクセルデータの一例を示す図であり、図１１Ｂは、表示部における出力画面に含まれる、貫通孔合否判定結果と補強板合否判定結果の一例を示す図である。さらに、図１２Ａは、表示部における出力画面に含まれる、設計図面を示す図であり、図１２Ｂは、合否判定において設計条件を満たさない場合の設計図面を示す図であり、図１３は、表示部における出力画面に表示される拡大図を示す図である。
【００８３】
図９に示す表示部における画面Ｇ（アプリケーション画面Ｇ）について説明すると、このアプリケーション画面Ｇは、一般的な表計算ソフトのワークシート画面によって構成されている。また、アプリケーション画面Ｇには各種情報が表示され、情報ごとに表示領域が区画されている。具体的に説明すると、アプリケーション画面Ｇの第一領域（図９中、記号Ｇ１にて示す領域）には、図１０に示す貫通孔や補強板に関する設計条件（設計条件情報）が表示される。図１０に示すように、各種の設計条件情報が文字の他にイラストにて表示されており、構造設計担当者が都度参照できるようになっている。
【００８４】
アプリケーション画面Ｇの第二領域（図９中、記号Ｇ２にて示す領域）は、図１１Ａに示す内容の入力欄となっている。図１１Ａには、ＢＩＭモデルを構成する各種梁のオブジェクト情報に基づき、梁に関する各種情報が入力される。尚、図示例では、基本情報、梁情報、貫通孔情報及び補強板情報が入力情報として入力されている。そして、入力欄を通じて入力された各入力情報は、入力欄中の対応するセルに表示される。
【００８５】
また、アプリケーション画面Ｇの第三領域（図９中、記号Ｇ３にて示す領域）には、図１２Ａ及び図１２Ｂに示すように、上記の入力情報に基づいて設計された梁の形状を示す設計図面Ｐが表示される。図１２Ａ及び図１２Ｂは、設計された梁の形状を示す設計図面Ｐの一例を示す図であり、設計図面Ｐ中には、貫通孔（図中、記号ｋｈにて表記）及び補強板（図中、記号ｒｂにて表記）が、それぞれ設計された寸法及び配置位置に応じて図示されている。また、貫通孔が複数形成される梁の設計図面Ｐでは、図１２Ａ及び図１２Ｂに示すように、貫通孔及び補強板が複数表示されるようになる。
【００８６】
また、アプリケーション画面Ｇの第四領域（図９中、記号Ｇ４にて示す領域）には、図１３に示すように、入力情報に応じて設計された梁に設けられている貫通孔（図中、記号ｋｈにて表記）、補強板（図中、記号ｒｂにて表記）及びこれらの周辺を示す拡大図ＷＰが表示される。図１３は、拡大図ＷＰの一例を示す図である。尚、図１３に示すケースでは、拡大図ＷＰが複数表示されている。
【００８７】
また、アプリケーション画面Ｇの第五領域（図９中、記号Ｇ５にて示す領域）には、図１１Ｂに示すように、判定結果が表示される。図１１Ｂは、判定結果の表示例を示す図である。ここで、「判定結果」とは、上記するように、貫通孔合否判定結果と補強板合否判定結果のことであり、図示例では、これらをまとめた総合判定結果も表示している。また、一つの梁の内部に貫通孔が複数設けられる場合には、貫通孔ごとに各判定結果が表示されるようになっている。
【００８８】
次に、図１１Ａ及び図１１Ｂに関する表示内容について、詳細に説明する。図１１Ａに示す基本情報は、梁の形状に関する基本情報であり、図１１Ａに示すように、貫通孔の数である孔数と、梁断面の各部寸法とが含まれる。梁情報は、梁本体の形状に関する情報であり、図１１Ａに示すように、鋼種、内法長さ、梁継手の位置及び寸法、梁せい、梁幅及びフランジ厚が含まれる。尚、梁端部が剛接合であって継手を有しない梁部材については、梁情報のうち、梁継手に関する情報の入力が省略される。
【００８９】
孔情報は、貫通孔の位置及び大きさ（孔径）に関する情報である。貫通孔の位置に関する情報としては、梁の左端から貫通孔までの距離Ｌ１と、梁天から貫通孔の距離ｈが含まれる。また、梁に貫通孔が複数備えられる場合には、孔情報が貫通孔ごとに入力される。
【００９０】
補強板情報は、補強板の寸法や位置に関する情報であり、図１１Ａに示すように、板厚、板幅、枚数、及び板中心と貫通孔中心との距離が含まれる。また、梁が複数の貫通孔を有する場合には、孔情報と同様に、補強板情報が貫通孔ごとに入力される。
【００９１】
以上で説明した入力情報は、あくまでも一例であり、上述した情報以外の情報を入力情報として取得してもよい。ただし、入力作業の手間を軽減する観点では入力情報を極力少なくした方が望ましく、梁の設計においてユーザが決めるべき事項のうち、必要最低限のものに限定するのが好ましい。
【００９２】
尚、既述するように、上記各種の入力情報は、ＢＩＭモデルを構成する各オブジェクトの仕様情報に基づき、自動入力される。すなわち、図５に示すアドインツールにおける「Ｅｘｃｅｌ出力」を押下することにより、ＢＩＭモデルを構成する各オブジェクトの仕様情報から、図１１Ａに示す各種情報がアプリケーション画面Ｇに出力される。この際、中間ファイルにおける貫通孔に関する情報も同時にアプリケーション画面Ｇに出力されるが、既に中間ファイルの情報がＢＩＭモデルの各オブジェクトの仕様情報として紐付いている場合は、各オブジェクトの仕様情報として同時に出力される。尚、図４に示す中間ファイルの例では、補強板に関する図示を省略しているが、中間ファイルには、補強板に関する情報も対応する貫通孔に併記されているのが望ましい。
【００９３】
図１１Ａに示す例では、孔ＩＤ１乃至４の４つの貫通孔が共通の梁の異なる場所に設けられている例を示しており、図１１Ａに示すように、孔情報及び補強板情報の各々の入力スペースが４行分確保されている。また、各貫通孔には番号が付される。そして、各番号の貫通孔に関する孔情報と、当該貫通孔に対応する補強板に関する補強板情報とが同一の行にて入力される。例えば、図１１Ａにおいて孔ＩＤ１の貫通孔と同じ行には、当該貫通孔に対応する補強板についての補強板情報が入力されている。
【００９４】
尚、各貫通孔の番号を示すセルに関しては、当該セル上で構造設計担当者が所定の動作（例えば、マウスのダブルクリック操作）を行うことにより、当該セルの色（セル塗潰し色）を変更させることが可能である。このように貫通孔の番号を示すセルの色を変更させることにより、各貫通孔について設計や検証（設計上の問題の有無についての検証）が済んだか否かを色分けにて識別することが可能になる。
【００９５】
図１１Ｂでは、貫通孔合否判定部１２６と補強板合否判定部１２８における合否判定結果である、Ｌ１乃至Ｌ７（図１０に示す貫通孔と補強板に関する設計条件）の各項目において、それぞれの合否が判定される。図１１Ｂにおいては、Ｌ５以外の項目においては、全ての貫通孔と補強板が判定合格（「ＯＫ」）であると表示されている。
【００９６】
一方、Ｌ５の項目（梁フランジ内面と補強板との距離）は、３つの貫通孔で不合格（「ＮＧ」）となっている。この評価においては、単に「ＮＧ」表示のみを行う代わりに、基準値を超える量（孔ＩＤ１では、Ｌ５が基準より１７ｍｍ狭い等）を具体的に表示している。
【００９７】
また、図１１Ｂにて示すように、貫通孔と補強板のそれぞれの判定結果を総合した総合判定結果も示しており、補強板が判定「ＮＧ」である孔ＩＤ１，２，４の各貫通孔では、それらの総合判定も「ＮＧ」と評価される。そして、Ｌ５の判定結果と総合判定結果において「ＮＧ」を示すセルは、例えば赤字表示等にて示すことにより、構造設計担当者が「ＮＧ」評価の貫通孔を容易に特定することができ、速やかに当該貫通孔の修正や補強板の修正を行うことが可能になる。
【００９８】
尚、本実施形態において、図１１Ｂには、総合判定の側方に、直交梁干渉情報が併せて表示される。ここで、直交梁干渉情報とは、設計対象の梁部材と直交する他の梁部材に貫通孔が干渉するかどうかについての判定結果を示す情報である。
【００９９】
上記する判定結果に応じて、設計図面Ｐが判定処理における判定結果を反映して表示される。より詳細には、Ｅｘｃｅｌ出力において設計図面Ｐ中の貫通孔及び補強板の図が表示される際の表示形式は、判定処理での判定結果に応じて変化する。図１２Ａ及び図１２Ｂを参照しながら具体的に説明すると、貫通孔及び補強板についての総合判定結果が「ＯＫ」である場合、設計図面Ｐ中の貫通孔及び補強板の図は、図１２Ａに示すように黒色の実線にて表示されるようになる。
【０１００】
一方、貫通孔及び補強板についての総合判定結果が「ＮＧ」である場合、設計図面Ｐ中の貫通孔及び補強板の図は、図１２Ｂに示すように赤の実線（図１２Ｂでは図示の都合上、黒色の破線にて表記）にて表示されるようになる。このように図示例では、貫通孔及び補強板の表示色が当該貫通孔及び補強板についての総合判定結果に応じて相違する。このような表示色の違いにより、構造設計担当者は、設計された貫通孔及び補強板の各々の位置や大きさについて設計上の問題がないかどうかを容易に確認することが可能となる。尚、上記の表示色はあくまでも一例に過ぎず、他の色を採用してもよい。また、本実施形態では、貫通孔及び補強板の表示色を判定結果に応じて変化させることとしたが、これに限定されるものではなく、色以外の表示形式、例えば、線の太さ、線種、ハイライトの有無等を変化させてもよい。
【０１０１】
また、基礎情報の孔数が２以上であった場合（すなわち、梁に複数の貫通孔が設けられる場合）には、貫通孔及び補強板の図の表示色が貫通孔別に決められてもよい。より詳細には、一つの梁に対して複数の貫通孔が設けられる場合に、上記するように判定の成否が貫通孔別に判定され、これに対応する形で、Ｅｘｃｅｌ出力において複数の貫通孔を備える梁の設計図面Ｐを表示するに当たり、各貫通孔及び補強板について、それぞれ表示色が決定される。
【０１０２】
また、本実施形態のＥｘｃｅｌ出力では拡大図ＷＰが表示される。拡大図ＷＰについて図１３を参照しながら説明すると、拡大図ＷＰでは、貫通孔及び補強板の図と共に限界ラインｂｒが表示される。この限界ラインｂｒは、設計条件に応じたラインであり、設計条件としての限界値（許容値）を線として図示したものである。このような貫通孔及び補強板の図と限界ラインｂｒが示された拡大図ＷＰを表示することにより、貫通孔及び補強板が設計条件を満たしているかどうかをビジュアル化して表すことが可能になる。そして、構造設計担当者は、拡大図ＷＰにおける限界ラインｂｒと貫通孔や補強板との位置関係から、設計条件の成否を容易に確認することができる。
【０１０３】
ここで、限界ラインｂｒについては、拡大図ＷＰの他の要素と異なる表示形式（例えば、表示色や線種）にて表示されることが好ましく、例えば赤色の破線（図１３では図示の都合上、黒色の破線にて表記）にて表示されるのが望ましい。
【０１０４】
尚、上記するように、本実施形態では設計条件が複数種設定されており、これに対応させて、拡大図ＷＰが設計条件別に作成されることになっている。そして、Ｅｘｃｅｌ出力では、図１３に示すように、設計条件別の拡大図ＷＰが一画面（具体的にはアプリケーション画面Ｇ）にて同時に表示されることになっている。このことにより、設計条件別の判定結果を同時に、且つ容易に確認することが可能になる。
【０１０５】
上記するように設計条件をビジュアル化した限界ラインｂｒを表示することにより、設計条件の成否についての確認がより容易になる。一方で、限界ラインｂｒについては、設計図面Ｐ中に表示することも可能である。ただし、限界ラインｂｒを設計図面Ｐに表示する場合、本実施形態のように設計条件が複数種類存在すると、複数の限界ラインｂｒが設計図面Ｐ中に混在することになる。その結果、貫通孔及び補強板と限界ラインｂｒとの位置関係が見難くなる可能性がある。これに対して、本実施形態では、拡大図ＷＰに限界ラインｂｒを表示することとし、さらに設計条件ごとに拡大図ＷＰを分けて作成することから、貫通孔及び補強板と限界ラインｂｒとの位置関係が見易くなり、好ましい。
【０１０６】
以上のように、表示部１３０では、梁の設計のための入力情報、設計図面Ｐ、拡大図ＷＰ、及び、設計された梁に設けられている貫通孔や補強板に設計上の問題がないか否かに関する判定結果が、一画面に同時に表示される。このような画面構成ゆえに、構造設計担当者であるユーザにとって利便性が高く、表示されている梁の設計図面Ｐがどのような入力情報の下で設計されているのかを容易に把握することができる。
【０１０７】
そして、貫通孔や補強板等の設計に問題があると判定された場合には、その判定結果とともに、どのような入力情報が入力されたことに起因して当該判定結果に至ったのかを分析することが容易になる。尚、アプリケーション画面Ｇにおいて、判定結果情報が表示される領域（第五領域）は、入力情報の表示領域（第二領域）に対して横並び（隣接）である。そして、ある梁を設計するための入力情報と、当該入力情報に基づく設計内容についての判定結果とが同一の行にて表示される。より詳細に説明すると、梁に設けられている貫通孔及び補強板に関する入力情報と、当該貫通孔及び補強板に関する設計内容についての判定結果が、同じ行において並べられる。このことにより、入力情報と判定結果との対比がより容易に行えるようになっている。
【０１０８】
図５に戻り、次に、アドインツールにおける「結果表示」を押下することにより、Ｅｘｃｅｌ出力した結果をリスト表示する。ここで、図１４は、表示部におけるＢＩＭモデル上で、正常判定の貫通孔とエラー判定の貫通孔を示す図である。
【０１０９】
図１４では、表示部１３０においてＢＩＭモデル画面が表示されており、図中の「注目する梁」が他の梁と異なる着色状態となっている。そして、この注目する梁には、３つの貫通孔が図示されており、そのうち、左右にある二つの貫通孔Ｘ１は設計条件を満たし、判定結果が正常であることから、例えば青色表示される。それに対して、中央の貫通孔Ｘ２はいずれかの設計条件を満たしておらず、例えば赤色表示される。
【０１１０】
このように、表示部１３０における３次元のＢＩＭモデル上において、設計条件を満たさない貫通孔が赤色表示等されることにより、構造設計担当者は、設計条件を満たさない貫通孔を三次元のＢＩＭモデル上において容易に確認することが可能になる。
【０１１１】
図５に戻り、次に、アドインツールにおける「梁ファミリマッピング」を押下することにより、判定処理された各梁を、大梁と小梁と片持ち梁とに分類する。尚、図１５は、ＢＩＭモデルを形成する梁ファミリを、大梁と小梁と片持ち梁に分類している状態を示す図である。
【０１１２】
［実施形態に係る設計支援方法］
次に、図１６及び図１７を参照して、実施形態に係る設計支援方法の一例について説明する。ここで、図１６は、実施形態に係る設計支援方法の一例を示すフロー図であり、図１７は、実施形態に係る設計支援方法のうち、貫通孔合否判定工程と補強板合否判定工程の一例を詳細に示すフロー図である。
【０１１３】
図４を参照して既に説明したように、貫通孔等に関する各種情報が含まれた構成部材に関する中間ファイル６０が設備設計ユーザ端末１０Ｃにより作成され、共有サーバ２０に送信され、格納されている。構造設計ユーザ端末１０Ｂは、共有サーバ２０から上記する中間ファイル６０を受信する、受信工程を実行する（ステップＳ１００）。この受信工程により、設備設計担当者等が設計した各構成部材に設けられる貫通孔や補強板に関する情報を、構造設計ユーザ端末１０Ｂにおいて、ＢＩＭモデルの対応する構成部材に対して効率的に紐付けることが可能になる。
【０１１４】
次に、構造設計ユーザ端末１０Ｂにおいて、高機能一貫構造計算ソフトウェアが読み出され、意匠設計担当者が設計しているＢＩＭ意匠モデルに基づいて、計算ソフトウェア内において計算モデルを作成し、計算モデルを構成する各種の構成要素の仕様情報を入力し、構造計算を実行する（非ＢＩＭ計算モデルの作成）。次に、ＳＴ−Ｂｒｉｄｇと、Ａｕｔｏｄｅｓｋ Ｒｅｖｉｔを起動することにより、非ＢＩＭ計算モデルをＢＩＭ計算モデルに変換する。構造計算により所定の構造安全性をクリアしたＢＩＭ計算モデルに対して、構造計算には不要であった様々な構成部材（オブジェクト）をＢＩＭ計算モデルに付加することにより、ＢＩＭモデルを設計する、設計工程を実行する（ステップＳ１１０）。
【０１１５】
次に、ＢＩＭモデルを構成する各構成部材（梁や床等）に対して、既に設定されている端部結合条件を各構成部材が満たしているか否かを判定する、端部結合条件判定工程を実行する（ステップＳ１２０）。尚、この判定結果を表示部１３０にて表示する表示工程が、随時実行されてよい（図示せず）。
【０１１６】
一般のＢＩＭモデルの設計においては、梁の端部結合条件の設定が例えば梁種に応じて自動的にデフォルト処理されるようになっていないことから、ＢＩＭモデルを設計した後に、各梁の端部結合条件の適否を梁ごとに精査することが必要となり、この精査に多大な時間と手間を要している。そこで、ＢＩＭモデルを構成する各構成部材が端部結合条件を満たしているか否かが端部結合条件判定工程にて自動判定され、判定結果が表示工程にて表示されることにより、端部結合条件を満たしていない梁等の構成部材を短時間に特定し、端部結合条件の修正を速やかに行うことが可能になる。
【０１１７】
次に、構成部材がその端部結合条件を満たしていることを前提として、当該構成部材に設けられている一つもしくは複数の貫通孔に対して設定されている設計条件を、当該貫通孔が満たしているか否かを判定する、貫通孔合否判定工程を実行する（ステップＳ１３０）。尚、この判定結果を表示部１３０にて表示する表示工程も、随時実行されてよい（図示せず）。
【０１１８】
貫通孔合否判定工程により、端部結合条件を満たしている構成部材の備える貫通孔が、当該貫通孔の設計条件を満たしているか否かを貫通孔判定工程にて判定することにより、適切な端部結合条件を有する構成部材に対して、適切な位置に適切な寸法形状の貫通孔が設けられていることを速やかに確認することができる。
【０１１９】
次に、各貫通孔に対応する補強板に対して設定されている設計条件を、当該補強板が満たしているか否かを判定する、補強板合否判定工程を実行する（ステップＳ１４０）。尚、この判定結果を表示部１３０にて表示する表示工程も、随時実行されてよい（図示せず）。
【０１２０】
貫通孔判定工程において貫通孔が予め設定されている設計条件を満たすか否かを判定することに加えて、さらに、補強板合否判定工程により、補強板が予め設定されている設計条件を満たすか否かを判定することによって、適切な補強板が設けられているか否かを速やかに確認することができる。
【０１２１】
ここで、図１７を参照して、実施形態に係る設計支援方法のうち、貫通孔合否判定工程と補強板合否判定工程の一例を詳細に説明する。
【０１２２】
構造設計担当者であるユーザは、中間ファイル６０を読み取ることにより、設計対象の梁と当該梁に設けられる貫通孔等に関する入力情報を取得する（ステップＳ１０２）。
【０１２３】
取得した梁に関する情報において、貫通孔の数（孔数）を特定し、設計対象の梁において貫通孔が複数設けられているか否かを確認する（ステップＳ１３１）。
【０１２４】
設定対象の梁に設けられる貫通孔が一つである場合、当該梁における貫通孔及び補強板が複数種類の設計条件をすべて満たしているか否かを判定する（ステップＳ１３２）。そして、構造設計ユーザ端末１０Ｂにおいて、貫通孔及び補強板が複数種類の設計条件をすべて満たしていると判定した場合には、設計図面Ｐ中の貫通孔及び補強板の図の表示色を黒色に設定する（ステップＳ１３３）。
【０１２５】
一方、構造設計ユーザ端末１０Ｂにおいて、貫通孔及び補強板がいずれかの設計条件を満たしていないと判定した場合には、設計図面Ｐ中の貫通孔及び補強板の図の表示色を赤色に設定する（ステップＳ１３４）。さらに、構造設計ユーザ端末１０Ｂにおいて、満たされなかった設計条件について、当該設計条件を満たすのに修正が必要な入力情報（被特定情報）の入力列と修正値とを特定する（ステップＳ１３５）。
【０１２６】
以上までの各ステップを経た後、構造設計ユーザ端末１０Ｂは、Ｅｘｃｅｌ出力表示を実行する（ステップＳ１３６）。Ｅｘｃｅｌ出力表示では、アプリケーション画面Ｇにおいて、各種の入力情報、梁の形状等を示す設計図面Ｐ、貫通孔周りの拡大図ＷＰ、及びステップＳ１３２での判定結果を示す判定結果情報が同時に表示される。この際、設計図面Ｐ中の貫通孔及び補強板に関する図は、ステップＳ１３３又はステップＳ１３４にて設定された表示色にて表示される。具体的に説明すると、貫通孔及び補強板がすべての設計条件を満たしている場合には貫通孔及び補強板の図が黒色にて表示され、貫通孔及び補強板がいずれかの設計条件を満たしていない場合には赤色にて表示される。
【０１２７】
また、貫通孔及び補強板がいずれかの設計条件を満たしていない場合には、当該設計条件についての判定結果情報（条件別結果情報）として、ステップＳ１３５にて特定された入力列と修正値を含んだ情報が表示されるようになる。
【０１２８】
ステップＳ１３１に戻り、設定対象の梁に設けられる貫通孔が複数である場合、構造設計ユーザ端末１０Ｂは、梁における各貫通孔及び各補強板が複数種類の設計条件をすべて満たしているかどうかを判定する（ステップＳ１３７）。そして、構造設計ユーザ端末１０Ｂは、各貫通孔及び各補強板がすべての設計条件を満たしていると判定した場合には、設計図面Ｐ中、各貫通孔及び補強板の図の表示色を黒色に設定する（ステップＳ１３８）。
【０１２９】
一方、構造設計ユーザ端末１０Ｂが設計条件を満たしていない貫通孔や補強板が存在すると判定した場合、設計図面Ｐ中、設計条件を満たしていない貫通孔及び補強板の図の表示色を赤色に設定する（ステップＳ１３９）。尚、この際、設計条件をすべて満たす貫通孔及び補強板が存在する場合、当該貫通孔及び補強板の図の表示色については、黒色に設定される。
【０１３０】
また、ステップＳ１３７において、設計条件を満たしていない貫通孔や補強板が存在すると判定した場合、構造設計ユーザ端末１０Ｂは、当該設計条件を満たすのに修正が必要な入力情報（被特定情報）の入力列と修正値とを特定する（ステップＳ１４１）。
【０１３１】
ステップＳ１３８又はステップＳ１４１の終了後、構造設計ユーザ端末１０Ｂは、設計対象の梁において取得された貫通孔の中から一の貫通孔を特定する（ステップＳ１４２）。具体的には、アプリケーション画面Ｇ中に表示された各貫通孔の番号のうち、その時点でカーソルが合わせられたセル番号の貫通孔を特定する。
【０１３２】
以上までのステップを経た後、構造設計ユーザ端末１０Ｂは、Ｅｘｃｅｌ出力表示を実行する（ステップＳ１４３）。Ｅｘｃｅｌ出力表示では、アプリケーション画面Ｇにおいて、各種の入力情報、梁の形状等を示す設計図面Ｐ、貫通孔周りの拡大図ＷＰ、及びステップＳ１３７での判定結果を示す判定結果情報が同時に表示される。このとき、設計図面Ｐ中の貫通孔及び補強板の図は、ステップＳ１３８又はステップＳ１３９にて設定された表示色にて表示される。具体的に説明すると、貫通孔及び補強板がすべての設計条件を満たしている場合には貫通孔及び補強板の図が黒色にて表示され、貫通孔及び補強板がいずれかの設計条件を満たしていない場合には赤色にて表示される。
【０１３３】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【０１３４】
１０：設計ユーザ端末
２０：共有サーバ
３０：ネットワーク
５０：設計支援システム
６０：中間ファイル
１２０：通信部
１２２：設計部
１２４：端部結合条件判定部
１２６：貫通孔合否判定部
１２８：補強板合否判定部
１３０：表示部
１３２：格納部
【図１】
2022003490.tif 000003
【図２】
2022003490.tif 000004
【図３】
2022003490.tif 000005
【図４】
2022003490.tif 000006
【図５】
2022003490.tif 000007
【図６Ａ】
2022003490.tif 000008
【図６Ｂ】
2022003490.tif 000009
【図７】
2022003490.tif 000010
【図８】
2022003490.tif 000011
【図９】
2022003490.tif 000012
【図１０】
2022003490.tif 000013
【図１１Ａ】
2022003490.tif 000014
【図１１Ｂ】
2022003490.tif 000015
【図１２Ａ】
2022003490.tif 000016
【図１２Ｂ】
2022003490.tif 000017
【図１３】
2022003490.tif 000018
【図１４】
2022003490.tif 000019
【図１５】
2022003490.tif 000020
【図１６】
2022003490.tif 000021
【図１７】
2022003490.tif 000022